(57)【要約】【課題】コンクリートとの間に隙間経路として雑草の根や芽の伸びを阻害できる折り返し経路を形成できて、目地部での雑草の生育を抑制できる目地材を提供する。【解決手段】本発明の目地材１は、互いに隣り合うコンクリート打設領域の境界地に設置されて互いに隣り合うコンクリート打設領域に打設されるコンクリートとコンクリートとの間の目地部に設けられる目地材において、目地部の長手方向及び目地部の上下方向に延長する側面を有する板材により形成され板材の板厚が目地部の幅に対応した主体部４と、主体部４の側面６に設けられて側面６の長手方向に沿って連続する突出部５とを備え、突出部５が、主体部４の上端面４１の側縁７から側面６より離れる方向に突出して側面６に戻る往復面６１を備えたことを特徴とする。【選択図】図１
2008280735.tif 000002
【特許請求の範囲】
【請求項１】
互いに隣り合うコンクリート打設領域の境界地に設置されて互いに隣り合うコンクリート打設領域に打設されるコンクリートとコンクリートとの間の目地部に設けられる目地材において、目地部の長手方向及び目地部の上下方向に延長する側面を有する板材により形成され板材の板厚が目地部の幅に対応した主体部と、主体部の側面に設けられて側面の長手方向に沿って連続する突出部とを備え、突出部が、主体部の上端面の側縁から側面より離れる方向に突出して側面に戻る往復面を備えたことを特徴とする目地材。
【請求項２】
互いに隣り合うコンクリート打設領域の境界地に設置されて互いに隣り合うコンクリート打設領域に打設されるコンクリートとコンクリートとの間の目地部に設けられる目地材において、目地部の長手方向及び目地部の上下方向に延長する側面を有する板材により形成され板材の板厚が目地部の幅に対応した主体部と、主体部の側面に設けられて側面の長手方向に沿って連続する突出部とを備え、突出部が、主体部の上端面の側縁よりも下方に位置する側面の突出始点部から側面より離れる方向に突出して側面の突出始点部よりも下方の位置に戻る往復面を備えたことを特徴とする目地材。
【請求項３】
往復面が、主体部の上端面の側縁あるいは側面の突出始点部より下方に傾斜する上部傾斜面と、上部傾斜面より連続して側面の方向に戻るように下方に傾斜して側面に繋がる下部傾斜面とを備えたことを特徴とする請求項１又は請求項２に記載の目地材。
【請求項４】
上部傾斜面と下部傾斜面とのなす角度が鋭角に形成されたことを特徴とする請求項３に記載の目地材。
【請求項５】
往復面が、主体部の上端面の側縁あるいは側面の突出始点部より下方に傾斜する上部傾斜面と、上部傾斜面の下端縁より側面と平行に位置するよう下方に延長する垂直面と、垂直面の下端縁より下方に傾斜して側面と繋がる下部傾斜面とを備えたことを特徴とする請求項１又は請求項２に記載の目地材。
【請求項６】
主体部の下端には、主体部の上下方向と直交する方向に延長して主体部の側面よりも突出する底板を備えたことを特徴とする請求項１乃至請求項５のいずれかに記載の目地材。
【発明の詳細な説明】
【技術分野】
【０００１】
本発明は、互いに隣り合うコンクリート打設領域の境界地に設置されて互いに隣り合うコンクリート打設領域に打設されるコンクリートとコンクリートとの間の目地部に設けられて、目地部での雑草の生育を抑制可能な目地材に関する。
【背景技術】
【０００２】
互いに隣り合うコンクリート打設領域の境界地に設置されて互いに隣り合うコンクリート打設領域に打設されるコンクリートとコンクリートとの間の目地に設けられる目地材として、台座部と主体部とを備えた目地材が知られている（例えば、特許文献１参照）。
【特許文献１】特開２００６−９４６０号公報
【発明の開示】
【発明が解決しようとする課題】
【０００３】
しかしながら、上記目地材は、コンクリートと向かい合う側面に、主体部の側面あるいは側面の上端より突出して側面に戻る面を備えていない。このため、上記目地材がコンクリートとコンクリートとの間の目地に設けられた場合、コンクリート舗装面と路盤とを繋ぐ目地材とコンクリートとの間に形成される隙間経路が全体的に一方向に沿った経路となり、隙間経路が折り返し経路とならない。隙間経路が全体的に一方向に沿った経路である場合、雑草の根や芽が当該隙間経路を辿って伸びやすい。従って、上記目地材とコンクリートとの間に入り込んだ雑草の種子が発芽した場合に、発芽した雑草の根が、全体的に一方向に沿った隙間経路を辿って路盤の方まで下方に伸びやすくなって、根を張ってしまったり、また、路盤や路盤の下の路床で発芽した雑草の芽が、全体的に一方向に沿った隙間経路を辿ってコンクリート舗装面の上方まで伸びてきてしまうことがあり、雑草の生育を効果的に防止できなかった。
本発明は、上記課題に鑑みてなされたもので、コンクリートとの間に隙間経路として雑草の根や芽の伸びを阻害できる折り返し経路を形成できて、目地部での雑草の生育を抑制できる目地材を提供することを目的とする。
【課題を解決するための手段】
【０００４】
本発明の目地材は、互いに隣り合うコンクリート打設領域の境界地に設置されて互いに隣り合うコンクリート打設領域に打設されるコンクリートとコンクリートとの間の目地部に設けられる目地材において、目地部の長手方向及び目地部の上下方向に延長する側面を有する板材により形成され板材の板厚が目地部の幅に対応した主体部と、主体部の側面に設けられて側面の長手方向に沿って連続する突出部とを備え、突出部が、主体部の上端面の側縁から側面より離れる方向に突出して側面に戻る往復面を備えたことを特徴とする。
本発明の目地材は、突出部が、主体部の上端面の側縁よりも下方に位置する側面の突出始点部から側面より離れる方向に突出して側面の突出始点部よりも下方の位置に戻る往復面を備えたことを特徴とする。
往復面が、主体部の上端面の側縁あるいは側面の突出始点部より下方に傾斜する上部傾斜面と、上部傾斜面より連続して側面の方向に戻るように下方に傾斜して側面に繋がる下部傾斜面とを備えたことも特徴とする。
上部傾斜面と下部傾斜面とのなす角度が鋭角に形成されたことも特徴とする。
往復面が、主体部の上端面の側縁あるいは側面の突出始点部より下方に傾斜する上部傾斜面と、上部傾斜面の下端縁より側面と平行に位置するよう下方に延長する垂直面と、垂直面の下端縁より下方に傾斜して側面と繋がる下部傾斜面とを備えたことも特徴とする。
主体部の下端には、主体部の上下方向と直交する方向に延長して主体部の側面よりも突出する底板を備えたことも特徴とする。
【発明の効果】
【０００５】
本発明の目地材によれば、突出部が往復面を備えたので、目地部に設けられた目地材の側面とコンクリートとの間に形成される隙間経路が折り返し経路となり、この折り返し経路の折り返し部が根や芽の伸びを阻害する。
突出部が、主体部の上端面の側縁よりも下方に位置する側面の突出始点部から側面より離れる方向に突出して側面の突出始点部よりも下方の位置に戻る往復面を備えたので、目地部に設けられた目地材の側面とコンクリートとの間に形成される隙間経路が折り返し経路となり、この折り返し経路の折り返し部が根や芽の伸びを阻害するとともに、上端面の側縁と突出始点部との間に上下に延長する垂直延長面となる側面が設けられ、突出部の上に設けられるコンクリート上部層の厚さを厚くでき、コンクリート上部層の強度を大きくできる。
往復面が、上部傾斜面と下部傾斜面とを備えたので、上部傾斜面と下部傾斜面境界部で形成される折り返し部が根や芽の伸びを阻害する。
上部傾斜面と下部傾斜面とのなす角度が鋭角に形成されたので、折り返し部が鋭角になり、根や芽が折り返し部を経由するため根や芽が折り返し部で屈曲状態となって根や芽に負担をかけるので、根や芽の伸びを阻害できる。
往復面が、上部傾斜面と垂直面と下部傾斜面とを備えたので、垂直面とコンクリートとの付着性が向上し、コンクリートと目地材との付着性を良くできる。
主体部の下端に底板を備えたので、底板が、路盤からの芽の伸びを阻害するので、雑草生育防止効果が上がる。
【発明を実施するための最良の形態】
【０００６】
最良の形態１
図１乃至図３は本発明の最良の形態１を示す。図１は目地材の外観を示し、図２は目地材の断面を示し、図３は目地材を用いた中央分離帯の断面を示す。
【０００７】
図３に示すように、目地材１は、互いに隣り合うコンクリート打設領域９０；９０の境界地５２に設置され、互いに隣り合うコンクリート打設領域９０；９０に打設されたコンクリート９２とコンクリート９２との間の目地部９３に設けられるものである。
【０００８】
図１；図２を参照し、目地材１の構成を説明する。目地材１は、一端面２から他端面３に向かう一方向（目地部９３の長手方向）に長い形状に形成される。目地材１は、主体部４と突出部５とを備える。主体部４は、目地部９３の長手方向及び目地部９３の上下方向に延長する側面６を備えた平面板状に形成される。つまり、コンクリート９２と向かい合う主体部４の側面６が平面により形成され、主体部４の互いに平行に対向する一対の側面６；６間の距離である板厚ａが目地部９３の幅ａに合わせて形成される（図３参照）。主体部４の上端面４１と下端面４２とが互いに平行な面により形成される。主体部４の一端面２と他端面３と側面６とが上端面４１や下端面４２と直交する面により形成される。従って、下端面４２と水平面と面接触するように下端面４２が水平面上に設置された場合、上端面４１は水平面となり、一端面２と他端面３と側面６とが垂直面となる。突出部５は、コンクリート９２と向かい合う主体部４の側面６に設けられて側面６の長手方向に沿って連続する。突出部５は、主体部４の上端面４１の側縁７から側面６より離れる方向に突出して側面６に戻る往復面６１を備える。
【０００９】
図２のように、突出部５の往復面６１は、主体部４の上端面４１の側縁７より突出して下方に傾斜する上部傾斜面８と、上部傾斜面８の下端縁９より側面６の方向に向けて下方に傾斜して側面６と繋がる下部傾斜面１０とにより形成される。
【００１０】
主体部４の上端面４１と上部傾斜面８との境界部に形成された凸部角１１の角度である上端面４１と上部傾斜面８とのなす角度αは鈍角（例えば１２０°）に形成される。上部傾斜面８と下部傾斜面１０との境界部に形成された凸部角１２の角度である上部傾斜面８と下部傾斜面１０とのなす角度βは鋭角（例えば６０°）に形成される。下部傾斜面１０と側面６との境界部に形成された凹部角１３の角度である下部傾斜面１０と側面６とのなす角度θは鈍角（例えば１２０°）に形成される。即ち、突出部５は、二等辺のうちの一辺が側面６と繋がった二等辺三角形が目地部９３の長手方向（一方向）に連続した形状である。当該突出部５は、主体部４の両方の側面６；６に、主体部４の中心線４０を中心として線対称に設けられる。
【００１１】
目地材１は、一端面２、他端面３、および、一方向と直交する断面の特徴形状が全て同じ形状であり、この特徴形状が一端面２から他端面３まで連続した構成である。この特徴形状が、主体部４と主体部４の両方の側面６；６より突出した突出部５：５とにより形成される。
【００１２】
目地材１は、例えば、目地部９３の長手方向に相当する主体部４の長手方向の長さＬが１０００ｍｍ、目地部９３の上下方向に相当する主体部４の上下方向の長さＴが１００ｍ、主体部４の板厚ａが１０ｍｍ、突出部５の上下方向の長さｂが３０ｍｍ、側面６から突出部５の頂点である上部傾斜面８の下端縁９までの最短長さｃ（突出長さ）が２０ｍｍ、上部傾斜面８の上下方向の垂直長さｄが２５ｍｍ、下部部傾斜面１０の上下方向の垂直長さｅが５ｍｍ、上部傾斜面８の長さｆが３２ｍｍ、下部傾斜面１０の長さｇが２０ｍｍである。突出部５の突出長さｃは２０ｍｍであり、板厚ａの１０ｍｍよりも長い。突出部５の突出長さｃは板厚ａの２倍〜３倍程度が好ましい。
【００１３】
図３を参照し、目地材１を用いたコンクリート舗装構成体としての中央分離帯５０の作り方を説明する。図外の路床土の上に路盤５１を形成し、水平に形成された路盤５１上の互いに隣り合うコンクリート打設領域９０；９０の境界地５２の上に目地材１の主体部４の下端面４２を載せて側面６が垂直面となるように目地材１を設置する。この際、目地材１が境界地５２よりもずれないように設置する。例えば、図外の鉄棒のような棒材の下端部を境界地５２の両側の路盤５１に突き刺して主体部４の下端面４２を境界地５２に設置すると共に棒材の上端面で下部傾斜面１０を支持したり、あるいは、突出部５に突出部５の上下方向に貫通する図外の孔を形成しておいて、図外の棒材を境界地５２に設置された目地材１の孔の上から孔に通して棒材の下端部を境界地５２の両側の路盤５１に突き刺す。このように目地材１を境界地５２よりもずれないように設置した後に、当該目地材１で区切られて互いに隣り合うコンクリート打設領域９０；９０の上に生コンクリートと呼ばれる流動性を有したコンクリートを打設する。打設されたコンクリートが固化することによって、互いに隣り合うコンクリート９２とコンクリート９２との間の目地部９３に目地材１が設けられた中央分離帯５０が形成される。
【００１４】
最良の形態１の目地材１によれば、主体部４の上端面４１の側縁７より突出して側面６に戻る往復面６１を形成する上部傾斜面８と下部傾斜面１０とを備えるので、目地部９３に設けられた目地材１の側面６とコンクリート９２との間に形成される隙間経路６２は、上部傾斜面８と下部傾斜面１０との境界部で折り返し部４６が形成された折り返し経路４５となり、この折り返し経路４５の折り返し部４６が根や芽の伸びを阻害する。即ち、目地材１の側面６とコンクリート９２との間に入り込んだ雑草の種子が発芽した場合に、根が路盤５１まで伸びるためには目地材１の凸部角１２により形成される折り返し経路４５の折り返し部４６を経由しなければならないので、根が折り返し経路４５を経由して路盤５１やその下の路床土まで伸びにくくなり、雑草の根の成長を抑止できる。また、路盤５１や路床土に混じった雑草の種子が発芽した場合に、芽が地上まで伸びるためには折り返し経路４５を経由しなければならないので、芽が折り返し部４６を経由して地上まで伸びにくくなり、雑草の芽の成長を抑止できる。
【００１５】
また、折り返し部４６を形成する凸部角１２が鋭角に形成されたので、折り返し部４６も鋭角になり、根が折り返し部４６を経由するためには根が折り返し部４６で屈曲状態となって根に負担がかかるので、根が折り返し部４６を経由して路盤５１やその下の路床土まで伸びにくくなり、雑草の根の成長を抑止できる。また、芽が折り返し部４６を経由するためには芽が折り返し部４６で屈曲状態となって芽に負担がかかるので、雑草の芽の成長を抑止できる。
【００１６】
また、目地材１が、主体部４の上部において突出部５を備えたので、折り返し部４６が雑草の根の下方への伸びを早期に阻止するので、雑草の根の根張りを抑制できる。よって、目地材１の側面６とコンクリート９２との間に雑草が生えたとしても簡単に除去できるようになる。
【００１７】
また、冬季に目地材１の側面６とコンクリート９２との間に水が滞留してしまうと、水が氷結して膨張することによって、目地材１の側面６とコンクリート９２との間の隙間が大きくなったり、目地材１やコンクリート９２にクラックを生じさせる可能性がある。
最良の形態１の目地材１によれば、突出部５を形成する面を、上部傾斜面８と下部傾斜面１０とにより形成したので、目地材１の側面６とコンクリート９２との間に浸入した水が傾斜面である上部傾斜面８と下部傾斜面１０を辿って下方の路盤に流下するので、目地材１の側面６とコンクリート９２との間に水が滞留するのを防止できる。このため、目地材１の側面６とコンクリート９２との間の隙間を大きくしたり、目地材１やコンクリート９２にクラックを生じさせる原因を防止できる。そして、目地材１の側面６とコンクリート９２との間の隙間を大きくする原因を防止できるので、目地材１の側面６とコンクリート９２との間の隙間に雑草の種子が入り込みにくくなり、雑草生育防止効果も向上する。
【００１８】
最良の形態２
図４；５を参照し、最良の形態２の目地材１の構造を説明する。図４は目地材の外観を示し、図５は目地材を用いた中央分離帯の断面を示す。
最良の形態２の目地材１は、突出部５が、主体部４の上部において側面６より突出して側面６に戻る往復面６１を備えるとともに、主体部４の下端に、主体部４の上下方向と直交する方向に延長して主体部４の側面よりも突出する底板２０を備える。即ち、突出部５が、主体部４の上端面４１の側縁７よりも下方に位置する側面６における突出始点部３０から側面６より離れる方向に突出して側面の突出始点部３０よりも下方の位置に戻る往復面６１を備える。よって、上端面４１の側縁７と突出部５の上部傾斜面２１の突出始点部３０との間に上下に延長する垂直延長面となる側面６が存在する。上端面４１の側縁７と突出部５の突出始点部３０との間の距離ｘは、例えば２０ｍｍに形成される。往復面６１は、主体部４の上端面４１の側縁７より下方に傾斜する上部傾斜面２１と、上部傾斜面２１の下端縁２２より側面６と平行となるよう下方に延長する垂直延長面２３と、垂直延長面２３の下端縁２４より側面６の方向に向けて下方に傾斜して突出終端部３１となる側面６と繋がる下部傾斜面２５とを有する。
【００１９】
最良の形態２の目地材１によれば、上部傾斜面２１と垂直延長面２３と下部傾斜面２５とを備えるので、目地部９３に設けられた目地材１の側面６とコンクリート９２との間に形成される隙間経路６２が、垂直延長面２３を経由して折り返す折り返し経路４５となり、上部傾斜面２１と垂直延長面２３とで形成された凸部角２６及び垂直延長面２３と下部傾斜面２５とで形成された凸部角２７により構成された折り返し部４６が根や芽の伸びを阻害する。
【００２０】
さらに、底板２０を備え、この底板２０が、路盤５１からの芽の伸びを阻害するので、雑草生育防止効果の高い目地材１を提供できる。
【００２１】
また、上端面４１の側縁７と突出部５の突出始点部３０との間に距離ｘ分だけ上下に延長する垂直延長面となる側面６が設けられたので、上部傾斜面２１の上に設けられるコンクリート上部層６５の厚さを厚くでき、コンクリート上部層６５の強度を大きくできる。
【００２２】
さらに、上部傾斜面２１と下部傾斜面２５との境界部に垂直延長面２３を備えたので、垂直延長面２３とコンクリートとの付着性が向上するため、コンクリートと目地材１との付着性を良くできる。
【００２３】
尚、目地材１は、例えば、エラスティックフィラーや硬質ウレタンゴムのような合成樹脂材料により主体部４と突出部５；５とが一体に形成されるか、又は、上記合成樹脂材料で夫々別体に形成された主体部４と突出部５；５とが互いに結合されて形成される。
【産業上の利用可能性】
【００２４】
雑草生育抑制効果を重視する場合は、上部傾斜面８と下部傾斜面１０とのなす角度βを鋭角に形成した突出部５を備えた目地材１を使用すればよい。そして、最良の形態１の突出部５と最良の形態２の底板２０とを備えた構成の目地材１とすれば、雑草生育抑制効果がさらに高くなる。
目地部９３の近傍でかつ上部傾斜面２１の上部に位置するコンクリート上部層６５の強度を上げたい場合には、上端面４１の側縁７と突出部５の突出始点部３０との間に上下距離ｘの垂直延長面となる側面６を備えた目地材１を使用すればよい。上下距離ｘを大きくするほど、コンクリート上部層６５の強度を上げることができる。
コンクリートと目地材１との付着性を良くする場合には、上部傾斜面２１と下部傾斜面２５との境界部に垂直延長面２３を備えた目地材１を使用すればよい。
主体部４の下部に突出部５を設けた構成の目地材１でもよい。ただし、突出部５を主体部４の上部に設けた方が根張り防止効果を高くできるので、根張り防止効果を高くするために、突出部５を主体部４の高さ寸法の１／２よりも上方の位置に設ければよい。
上部傾斜面８と下部傾斜面１０と境界部を弧面により形成し、弧面の折り返し部４６を形成するようにしてもよい。
本発明の目地材１は、歩道、犬走りと呼ばれる路側帯、護岸、コンクリート法面のようなコンクリート舗装構成体の目地材として使用でき、これらコンクリート舗装構成体の目地部での雑草の生育を抑制できる。
【図面の簡単な説明】
【００２５】
【図１】目地材の外観を示す斜視図（最良の形態１）。
【図２】目地材を一端面側から見た端面図（最良の形態１）。
【図３】目地材を使用した中央分離帯の断面図（最良の形態１）。
【図４】目地材の外観を示す斜視図（最良の形態２）。
【図５】目地材を使用した中央分離帯の断面図（最良の形態２）。
【符号の説明】
【００２６】
１  目地材、４  主体部、５  突出部、６  側面、７  側縁、８；２１  上部傾斜面、１０；２５  下部傾斜面、２０  底板、２３  垂直延長面、４５  折り返し経路、４６  折り返し部、６１  往復面、６２  隙間経路、９０  コンクリート打設領域、９２  コンクリート、９３  目地部。
【図１】
2008280735.tif 000003
【図２】
2008280735.tif 000004
【図３】
2008280735.tif 000005
【図４】
2008280735.tif 000006
【図５】
2008280735.tif 000007